【事件の表示】
　特願２０１６−５６０３３８「無線通信システムにおいて第１の基地局と第２の基地局とを動作させるための方法、その第１の基地局、および第２の基地局」拒絶査定不服審判事件〔平成２７年１０月　８日国際公開、ＷＯ２０１５／１５００２０、平成２９年　４月　６日国内公表、特表２０１７−５１０２１０〕について、次のとおり審決する。
【結　論】
　本件審判の請求は、成り立たない。
【理　由】
第１　手続の経緯
　本願は、２０１５年（平成２７年）３月６日（パリ条約による優先権主張外国庁受理　２０１４年３月３１日、欧州）を国際出願日とする出願であって、その手続の経緯は以下のとおりである。
平成２９年１２月　５日付け　　拒絶理由通知書
平成３０年　６月　７日　　　　意見書の提出
平成３０年１１月１９日付け　　拒絶査定
平成３１年　３月２２日　　　　拒絶査定不服審判の請求
令和　１年　５月　９日　　　　手続補正書（方式）の提出（理由補充）
第２　本願発明
　本願の請求項１−１２に係る発明は、国際出願日における国際特許出願の請求の範囲の翻訳文の請求項１−１２に記載された事項により特定されるところ、その請求項１に係る発明（以下、「本願発明」という。）は、以下のとおりのものと認める。
「　無線通信システム（ＲＡＮ）において、第１の基地局（ＢＳ１）を動作させるための方法（ＭＥＴ−ＢＳ１）であって、
−アンテナ・アレイ（ＡＡ１）により、第１の方向に向かって方向づけられている第１の放射線ビーム（ＢＭ１−ＢＳ１）を経由した第１の基準信号と、少なくとも１つの第２の方向に向かって方向づけられている少なくとも１つの第２の放射線ビーム（ＢＭ２−ＢＳ１、...、ＢＭ５−ＢＳ１）を経由した少なくとも第２の基準信号とを送信するステップ（Ｓ１−ＢＳ１）と、
−前記移動局（ＭＳ）のサービング基地局である第２の基地局（ＢＳ２）から前記第１の基地局（ＢＳ１）への移動局（ＭＳ）のハンドオーバのために、前記第１の放射線ビーム（ＢＭ１−ＢＳ１）と、前記少なくとも１つの第２の放射線ビーム（ＢＭ２−ＢＳ１、...、ＢＭ５−ＢＳ１）とを含む放射線ビームのグループから選択されている放射線ビームについての表示を、前記移動局（ＭＳ）にサービスするための前記第１の基地局（ＢＳ１）における初期の放射線ビームとして前記選択された放射線ビームを適用するために、受信するステップ（Ｓ９−ＢＳ１）と、
−前記表示に基づいて、前記移動局（ＭＳ）にサービスするための、前記初期の放射線ビームについての無線リソースをスケジュールするステップ（Ｓ１０−ＢＳ１）と
を含む方法（ＭＥＴ−ＢＳ１）。」
第３　原査定の拒絶の理由
　原査定の拒絶の理由は、「１．（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。」、「２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」というものであり、請求項１に対して下記１が引用されている。
１．国際公開第２０１３／０４８２１２号
第４　引用例等に記載された事項及び引用発明等 
１．引用発明
　原査定で引用された国際公開第２０１３／０４８２１２号（以下、「引用例」という。）には、以下の事項が記載されている。（下線は当審が付与。）
（１）「[32]　Exemplary embodiments of the present disclosure provide 
a method and an apparatus for short handover latency in a wireless communication system
（当審仮約：
［３２］　本開示の例示的な実施形態は、ビームフォーミングを用いる
無線通信システムにおける短いハンドオーバ遅延のための方法及び装置
（２）「[34]　Referring to FIG. 1, in the DL, 
a Base Station (BS) 110 transmits data (including a broadcast message) by changing a DL Tx beam direction using an array antenna.
（当審仮約：
［３４］　図１を参照すると、ダウンリンクにおいて、
基地局（ＢＳ）１１０は、アレイアンテナを使用してＤＬ　Ｔｘビームの方向を変えながら、データ（ブロードキャストメッセージを含む）を送信する
（３）「[41]　For coverage expansion and reliable data transmission in view of optimization, additional beamforming can be carried out. That is, a narrower beam than the beam width used in the coarse beam selection can be selected, which is referred to as fine beam selection.
[42]　Unlike the wide beam used in the SCH/BCH, a reference signal (e.g., a preamble), a midamble, or a corresponding signal from the BS 210 is used, and the reference signal includes a fine (or narrow) beam ID.
[43]　
The reference signal is transmitted from the BS 210 to the MS 220 over the DL fine (or narrow) Tx beams.
（当審仮約：
［４１］　最適化の観点から、カバレージ拡張及び信頼性の高いデータ伝送のために、追加のビームフォーミングを実行することができる。すなわち、粗ビーム選択時に用いられるビーム幅よりも狭いビームを選択することができ、これを細いビーム選択と称する。
［４２］　ＳＣＨ／ＢＣＨで使用される幅広いビームとは異なり、ＢＳ２１０からの基準信号（例えば、プリアンブル）、ミッドアンブル、又はそれに対応する信号が使用され、基準信号には細い（又は狭い）ビームＩＤが含まれる。
［４３］　
基準信号は、ＢＳ２１０から、ＤＬの細い（又は狭い）Ｔｘビームを経由してＭＳ２２０に送信される。
（４）「[57]　
FIG. 5 illustrates a message flow diagram of the handover according to an exemplary embodiment of the present disclosure.
[58]　Referring to FIG. 5, for the handover of an MS 510, a serving BS 520 and neighboring BSs 530 and 540 should measure the channel. The channel measurement is referred to as scanning.
（略）
[74]　The Scanning is explained as below (step 2). 
[75]　The MS 510 fundamentally measures the channel of the DL of the BS 520. Since the beamforming is applied, the coarse beam selection is performed between the MS 510 and the BS 520 and the MS 510 measures each DL Tx beam of the BS 520. In so doing, the metric used can be either the RSSI or the CINR. The MS 510 stores the ID and the measurement result of the DL Tx beam (e.g., DL beam ID and measurement result) of the best signal strength among the measurement results of the DL Tx beams. During Scanning procedure, the fine beam selection may be performed between the MS 510 and the BS 520. In that case,
[76] 　A.the MS performs the coarse beam selection first to find the best ‘x’ BSs (i.e. X= the number of candidate BSs which has the best signal strength). Therefore, the MS repeats coarse beam selection with neighbor BSs, and it selects the best‘x’BSs out of all BSs with which the MS performed coarse beam selection. 
The MS performs fine beam selection procedure with the chosen‘x’BSs.
the MS can include measurement result of either all BSs or the best‘y’BSs for bine beam
（略）
[87]　In the Scanning Interleaving Interval, the MS 510 can report the Scanning/Association results of the Scanning Duration to the serving BS 520. The report can use the Periodic Reporting or the Event-driven Reporting. 
When the MS reports measurement result, the report message can include the measurement result(s) of one BS or more than one BS.
（当審仮約：
［５７］　
図５は、本開示の例示的な実施形態によるハンドオーバのメッセージフロー図である
［５８］　図５を参照すると、ＭＳ５１０のハンドオーバのために、サービングＢＳ５２０及び近隣ＢＳ５３０及び５４０はチャネル測定を行わなければならない。このチャネル測定をスキャニングという。
（略）
［７４］　次に、スキャニングについて説明する（ステップ２）。
［７５］　ＭＳ５１０は、基本的に、ＢＳ５２０のＤＬのチャネルを測定する。ビームフォーミングが適用されるので、粗ビーム選択は、ＭＳ５１０とＢＳ５２０との間で実行され、ＭＳ５１０は、ＢＳ５２０の各ＤＬ　Ｔｘビームを測定する。その際、ＲＳＳＩ又はＣＩＮＲのいずれかをメトリックとして使用することができる。ＭＳ５１０は、ＤＬ　Ｔｘビームの測定結果のうち最大信号強度のＤＬ　ＴｘビームのＩＤ及び測定結果（例えば、ＤＬ　Ｂｅａｍ　ＩＤと測定結果）を格納する。スキャニング手順の間、細いビーム選択は、ＭＳ５１０とＢＳ５２０との間で実行されてもよい。その場合、以下のようになる。
［７６］　Ａ．ＭＳは、最良の‘ｘ’ＢＳを見つけるために、最初に粗ビーム選択を実行する（すなわち、Ｘ＝最大信号強度を有する候補ＢＳの数）。したがって、ＭＳは、隣接ＢＳで粗ビーム選択を繰り返し、ＭＳが粗ビーム選択を行ったすべてのＢＳの中から最良の‘ｘ’ＢＳを選択する。
ＭＳは、選択された‘ｘ’ＢＳを用いて細いビーム選択手順を実行する。
ＭＳは全てのＢＳ又は最良の‘ｙ’ＢＳの細いビームの測定結果を含むことができる
（略）
［８７］　スキャニングのインターリーブ間隔において、ＭＳ５１０は、スキャニング期間のスキャニング／関連付け結果をサービングＢＳ５２０に報告することができる。報告は、周期的報告又はイベント駆動報告を使用することができる。
ＭＳが測定結果を報告する場合、報告メッセージは、１つのＢＳ又は１以上のＢＳの測定結果を含むことができる。
　なお、上記（４）の［76］の「the best‘y’BSs for bine beam」が、「the best‘y’BSs for fine beam」の誤記であることは、引用例の記載内容や技術内容からみて明らかであり、「the best‘y’BSs for bine beam」を「最良の‘ｙ’ＢＳの細いビーム」と仮訳した。
（５）「[90]　When the serving BS 520 and the neighboring BSs 530 and 540 negotiate about the handover, the NW-HO_Request message includes at least the following parameters.
[91]　MSID indicates the ID of the MS to hand over.
[92]　
DL Beam ID is used to indicate the DL Tx beam to be used by the corresponding neighboring BS to transmit data to the MS after the handover (Network Re-Entry procedure) of the MS is completed. The DL Beam ID indicates the ID of the DL Tx beam of the greatest signal strength determined by the MS during the scanning of the corresponding BS
（当審仮約：
［９０］　サービングＢＳ５２０及び隣接ＢＳ５３０、５４０がハンドオーバを交渉する場合、ＮＷ−ＨＯ＿Ｒｅｑｕｅｓｔメッセージは、少なくとも以下のパラメータを含む。
［９１］　ＭＳＩＤは、ハンドオーバするＭＳのＩＤを示す。
［９２］　
ＭＳのハンドオーバ(ネットワーク再進入手順)が完了した後、対応する隣接ＢＳがＭＳにデータを送信するために使用されるＤＬ　Ｔｘビームを指示するために、ＤＬ　Ｂｅａｍ　ＩＤが使用される。ＤＬ　Ｂｅａｍ　ＩＤは、対応するＢＳのスキャニング中にＭＳによって決定された最大信号強度のＤＬ　ＴｘビームのＩＤを示す。
（６）図５として以下の図面が記載されている。
「
」
　上記（１）−（５）の記載及び（６）の図面並びに当業者の技術常識を考慮すると、以下のことがいえる。
ア　上記（１）によれば、引用例は無線通信システムの方法に関するものであり、上記（４）の記載及び上記（６）の図５から、ハンドオーバにおいて、隣接ＢＳ（Ａ）（５３０）が動作することが見てとれる。
　よって、引用例には「無線通信システムにおいて、隣接ＢＳが動作する方法」が記載されているといえる。
イ　上記（２）には、ＢＳがアレイアンテナを使用してＤＬ　Ｔｘビームの方向を変えながらデータを送信することが記載されており、上記（３）には、基準信号が、ＢＳからＤＬの細い（又は狭い）Ｔｘビームを経由してＭＳに送信されることが記載されているから、引用例のＢＳは、「アレイアンテナにより、各ＤＬの細い（又は狭い）Ｔｘビームを経由した基準信号を送信する」ものであるといえる。
　そして、上記（６）の図５に記載された隣接ＢＳ（Ａ）（５３０）が、上記ＢＳと同様の動作を行うことは明らかであるから、隣接ＢＳは、「アレイアンテナにより、各ＤＬの細い（又は狭い）Ｔｘビームを経由した基準信号を送信する」といえる。
ウ　上記（６）の図５から、隣接ＢＳ（Ａ）（５３０）がサービングＢＳ（５２０）からＮＷ−ＨＯ＿Ｒｅｑｕｅｓｔ（４−１）を受信すること、ＮＷ−ＨＯ＿Ｒｅｑｕｅｓｔ（４−１）にはＤＬ　Ｂｅａｍ　ＩＤが含まれること、サービングＢＳ（５２０）から隣接ＢＳ（Ａ）（５３０）へのＭＳのハンドオーバを行うことが見てとれる。よって、隣接ＢＳ（Ａ）（５３０）は、「サービングＢＳから隣接ＢＳへのＭＳのハンドオーバのために」ＤＬ　Ｂｅａｍ　ＩＤを受信するといえる。
　そして、上記（５）には、ＤＬ　Ｂｅａｍ　ＩＤが、対応する隣接ＢＳのスキャニング中にＭＳによって決定された最大信号強度のＤＬ　ＴｘビームＩＤを示すことが記載されているといえ、ここで上記（４）によると、ビーム選択手順においてＭＳが隣接ＢＳの各ＤＬの細いＴｘビームを測定することから、ＤＬ　Ｂｅａｍ　ＩＤは、「隣接ＢＳの各ＤＬの細い（又は狭い）Ｔｘビームの中から、ＭＳによって選択された最大信号強度のＤＬ　ＴｘビームのＩＤを示す」ものであるといえる。
　よって、隣接ＢＳは「サービングＢＳから隣接ＢＳへのＭＳのハンドオーバのために、隣接ＢＳの各ＤＬの細い（又は狭い）Ｔｘビームの中から、ＭＳによって選択された最大信号強度のＤＬ　ＴｘビームのＩＤを示すＤＬ　Ｂｅａｍ　ＩＤ」を受信するといえる。
　また、上記（５）には、ハンドオーバが完了した後、対応する隣接ＢＳがＭＳにデータを送信するために使用されるＤＬ　Ｔｘビームを指示するために、ＤＬ　Ｂｅａｍ　ＩＤが使用されると記載されている。ここで、上述のとおり、ＤＬ　Ｂｅａｍ　ＩＤは、ＭＳによって選択された最大信号強度のＤＬ　ＴｘビームのＩＤを示すものであるといえるから、隣接ＢＳは、「ＤＬ　Ｂｅａｍ　ＩＤを、ハンドオーバが完了した後、ＭＳにデータを送信するために隣接ＢＳが使用するＤＬ　Ｔｘビームとして前記ＭＳによって選択された最大信号強度のＤＬ　Ｔｘビームを適用するために受信する」といえる。
　よって、隣接ＢＳは、「サービングＢＳから隣接ＢＳへのＭＳのハンドオーバのために、隣接ＢＳの各ＤＬの細い（又は狭い）Ｔｘビームの中から、ＭＳによって選択された最大信号強度のＤＬ　ＴｘビームのＩＤを示すＤＬ　Ｂｅａｍ　ＩＤを、ハンドオーバが完了した後、ＭＳにデータを送信するために隣接ＢＳが使用するＤＬ　Ｔｘビームとして前記ＭＳによって選択された最大信号強度のＤＬ　Ｔｘビームを適用するために受信する」といえる。
エ　上記（５）には、ＤＬ　Ｂｅａｍ　ＩＤを使用して、ＭＳのハンドオーバが完了した後、ＭＳにデータを送信するために使用するＤＬ　Ｔｘビームを隣接ＢＳに指示することが記載されているといえる。
　そして、隣接ＢＳが、当該ＤＬ　Ｂｅａｍ　ＩＤを使用して指示されたビームを、ＭＳのハンドオーバが完了した後にＭＳにデータを送信するＤＬ　Ｔｘビームのビームとして設定することは明らかであるから、引用例の隣接ＢＳは、「ＤＬ　Ｂｅａｍ　ＩＤに基づいて、ＭＳのハンドオーバが完了した後、ＭＳにデータを送信するために使用するＤＬ　Ｔｘビームのビームを設定する」といえる。
　してみれば、引用例には次の発明（以下、「引用発明」という。）が記載されていると認める。
「　無線通信システムにおいて、隣接ＢＳが動作する方法であって、
　アレイアンテナにより、各ＤＬの細い（又は狭い）Ｔｘビームを経由した基準信号を送信することと、
　サービングＢＳから隣接ＢＳへのＭＳのハンドオーバのために、隣接ＢＳの各ＤＬの細い（又は狭い）Ｔｘビームの中から、ＭＳによって選択された最大信号強度のＤＬ　ＴｘビームのＩＤを示すＤＬ　Ｂｅａｍ　ＩＤを、ハンドオーバが完了した後、ＭＳにデータを送信するために隣接ＢＳが使用するＤＬ　Ｔｘビームとして、前記ＭＳによって選択された最大信号強度のＤＬ　Ｔｘビームを適用するために受信することと、
　ＤＬ　Ｂｅａｍ　ＩＤに基づいて、ＭＳのハンドオーバが完了した後、ＭＳにデータを送信するために使用するＤＬ　Ｔｘビームのビームを設定することと
を含む方法。」
第５　対比・判断
　本願発明と引用発明とを対比すると、以下のとおりとなる。
ア　引用発明の「隣接ＢＳ」はＭＳのハンドオーバ先の基地局であるから、本願発明のハンドオーバ先の基地局である「第１の基地局（ＢＳ１）」に相当する。また、引用発明の「無線通信システム」はＢＳとＭＳとで構成されるものであるから、本願発明の「無線通信システム（ＲＡＮ）」に相当する。そして、引用発明の「隣接ＢＳが動作する方法」は、「第１の基地局（ＢＳ１）を動作させるための方法」といえる。
　よって、引用発明の「無線通信システムにおいて、隣接ＢＳが動作する方法」は、本願発明と同様に、「無線通信システム（ＲＡＮ）において、第１の基地局（ＢＳ１）を動作させるための方法」であるといえる。
イ　引用発明の「アレイアンテナ」は、本願発明の「アンテナ・アレイ（ＡＡ１）」に相当する。そして、引用発明の「各ＤＬの細い（又は狭い）Ｔｘビーム」が、放射方向が異なるいくつかの放射線ビームを意味することは当業者における技術常識であり、そのような放射方向が異なるいくつかの放射線ビームを「第１の方向に向かって方向づけられている第１の放射線ビーム（ＢＭ１−ＢＳ１）」、「第２の方向に向かって方向づけられている少なくとも１つの第２の放射線ビーム（ＢＭ２−ＢＳ１、...、ＢＭ５−ＢＳ１）」と称することは任意である。そうすると、引用発明の「各ＤＬの細い（又は狭い）Ｔｘビームを経由した基準信号」は、本願発明の「第１の方向に向かって方向づけられている第１の放射線ビーム（ＢＭ１−ＢＳ１）を経由した第１の基準信号と、少なくとも１つの第２の方向に向かって方向づけられている少なくとも１つの第２の放射線ビーム（ＢＭ２−ＢＳ１、...、ＢＭ５−ＢＳ１）を経由した少なくとも第２の基準信号」に含まれる。
　よって、引用発明の「アレイアンテナにより、各ＤＬの細い（又は狭い）Ｔｘビームを経由した基準信号を送信すること」は、本願発明の「−アンテナ・アレイ（ＡＡ１）により、第１の方向に向かって方向づけられている第１の放射線ビーム（ＢＭ１−ＢＳ１）を経由した第１の基準信号と、少なくとも１つの第２の方向に向かって方向づけられている少なくとも１つの第２の放射線ビーム（ＢＭ２−ＢＳ１、...、ＢＭ５−ＢＳ１）を経由した少なくとも第２の基準信号とを送信するステップ」に含まれる。
ウ　引用発明の「ＭＳ」は、本願発明の「移動局（ＭＳ）」に相当する。そして、引用発明の「サービングＢＳ」を、本願発明と同様に、「移動局（ＭＳ）のサービング基地局である第２の基地局（ＢＳ２）」と称することは任意である。
　また、引用発明の「隣接ＢＳの各ＤＬの細い（又は狭い）Ｔｘビーム」全体を、本願発明と同様に、「第１の放射線ビーム（ＢＭ１−ＢＳ１）と、前記少なくとも１つの第２の放射線ビーム（ＢＭ２−ＢＳ１、...、ＢＭ５−ＢＳ１）とを含む放射線ビームのグループ」と称することは任意である。そして、引用発明の「ＭＳによって選択された最大信号強度のＤＬ　ＴｘビームのＩＤを示すＤＬ　Ｂｅａｍ　ＩＤ」は、本願発明の「選択されている放射線ビームについての表示」に含まれるといえる。
　よって、引用発明の「隣接ＢＳの各ＤＬの細い（又は狭い）Ｔｘビームの中から、ＭＳによって選択されている最大信号強度のＤＬ　ＴｘビームのＩＤを示すＤＬ　Ｂｅａｍ　ＩＤ」は、本願発明の「前記第１の放射線ビーム（ＢＭ１−ＢＳ１）と、前記少なくとも１つの第２の放射線ビーム（ＢＭ２−ＢＳ１、...、ＢＭ５−ＢＳ１）とを含む放射線ビームのグループから選択されている放射線ビームについての表示」に含まれる。
　さらに、引用発明の「ハンドオーバが完了した後、ＭＳにデータを送信するために隣接ＢＳが使用するＤＬ　Ｔｘビーム」は、本願発明と同様に、「前記移動局（ＭＳ）にサービスするための前記第１の基地局（ＢＳ１）における初期の放射線ビーム」であるといえるから、引用発明の「ハンドオーバが完了した後、ＭＳにデータを送信するために隣接ＢＳが使用するＤＬ　Ｔｘビームとして前記ＭＳによって選択された最大信号強度のＤＬ　Ｔｘビームを適用する」ことは、本願発明の「前記移動局（ＭＳ）にサービスするための前記第１の基地局（ＢＳ１）における初期の放射線ビームとして前記選択された放射線ビームを適用する」ことに相当する。
　よって、引用発明の「サービングＢＳから隣接ＢＳへのＭＳのハンドオーバのために、隣接ＢＳの各ＤＬの細い（又は狭い）Ｔｘビームの中から、ＭＳによって選択された最大信号強度のＤＬ　ＴｘビームのＩＤを示すＤＬ　Ｂｅａｍ　ＩＤを、ハンドオーバが完了した後、ＭＳにデータを送信するために隣接ＢＳが使用するＤＬ　Ｔｘビームとして前記ＭＳによって選択された最大信号強度のＤＬ　Ｔｘビームを適用するために受信すること」は、本願発明の「−前記移動局（ＭＳ）のサービング基地局である第２の基地局（ＢＳ２）から前記第１の基地局（ＢＳ１）への移動局（ＭＳ）のハンドオーバのために、前記第１の放射線ビーム（ＢＭ１−ＢＳ１）と、前記少なくとも１つの第２の放射線ビーム（ＢＭ２−ＢＳ１、...、ＢＭ５−ＢＳ１）とを含む放射線ビームのグループから選択されている放射線ビームについての表示を、前記移動局（ＭＳ）にサービスするための前記第１の基地局（ＢＳ１）における初期の放射線ビームとして前記選択された放射線ビームを適用するために、受信するステップ」に含まれる。
エ　引用発明の「ＭＳのハンドオーバが完了した後、ＭＳにデータを送信するために使用するＤＬ　Ｔｘビーム」は、本願発明の「前記移動局（ＭＳ）にサービスするための、前記初期の放射線ビーム」に相当する。
　また、「ビーム」は空間の無線リソースであり、「無線リソース」に含まれるといえるから、引用発明の「ＤＬ　Ｂｅａｍ　ＩＤに基づいて」「ビームを設定する」ことは、「−前記表示に基づいて」「無線リソースをスケジュールする」ことに含まれる。
　よって、引用発明の「ＤＬ　Ｂｅａｍ　ＩＤに基づいて、ＭＳのハンドオーバが完了した後、ＭＳにデータを送信するために使用するＤＬ　Ｔｘビームのビームを設定すること」は、本願発明の「−前記表示に基づいて、前記移動局（ＭＳ）にサービスするための、前記初期の放射線ビームについての無線リソースをスケジュールするステップ」に含まれる。
　したがって、本願発明と引用発明とは、
（一致点）
「　無線通信システム（ＲＡＮ）において、第１の基地局（ＢＳ１）を動作させるための方法であって、
−アンテナ・アレイ（ＡＡ１）により、第１の方向に向かって方向づけられている第１の放射線ビーム（ＢＭ１−ＢＳ１）を経由した第１の基準信号と、少なくとも１つの第２の方向に向かって方向づけられている少なくとも１つの第２の放射線ビーム（ＢＭ２−ＢＳ１、...、ＢＭ５−ＢＳ１）を経由した少なくとも第２の基準信号とを送信するステップと、
−前記移動局（ＭＳ）のサービング基地局である第２の基地局（ＢＳ２）から前記第１の基地局（ＢＳ１）への移動局（ＭＳ）のハンドオーバのために、前記第１の放射線ビーム（ＢＭ１−ＢＳ１）と、前記少なくとも１つの第２の放射線ビーム（ＢＭ２−ＢＳ１、...、ＢＭ５−ＢＳ１）とを含む放射線ビームのグループから選択されている放射線ビームについての表示を、前記移動局（ＭＳ）にサービスするための前記第１の基地局（ＢＳ１）における初期の放射線ビームとして前記選択された放射線ビームを適用するために、受信するステップと、
−前記表示に基づいて、前記移動局（ＭＳ）にサービスするための、前記初期の放射線ビームについての無線リソースをスケジュールするステップと
を含む方法。」
で一致し、相違するところはない。
　したがって、本願発明は、引用発明と同一であり、また引用発明に基づいて当業者が容易に発明をすることができたものである。
［請求人の補正案について］
　令和１年５月９日に提出された手続補正書（方式）には、補正案が提示されているので、当該補正案についても検討する。
　補正案の請求項１は次のとおりである。（下線は補正箇所を示す。）
「　無線通信システム（ＲＡＮ）において、第１の基地局（ＢＳ１）を動作させるための方法（ＭＥＴ−ＢＳ１）であって、
−アンテナ・アレイ（ＡＡ１）により、第１の方向に向かって方向づけられている第１の放射線ビーム（ＢＭ１−ＢＳ１）を経由した第１の基準信号と、少なくとも１つの第２の方向に向かって方向づけられている少なくとも１つの第２の放射線ビーム（ＢＭ２−ＢＳ１、...、ＢＭ５−ＢＳ１）を経由した少なくとも第２の基準信号とを送信するステップ（Ｓ１−ＢＳ１）と、
−前記移動局（ＭＳ）のサービング基地局である第２の基地局（ＢＳ２）から前記第１の基地局（ＢＳ１）への移動局（ＭＳ）のハンドオーバのために、前記第１の放射線ビーム（ＢＭ１−ＢＳ１）と、前記少なくとも１つの第２の放射線ビーム（ＢＭ２−ＢＳ１、...、ＢＭ５−ＢＳ１）とを含む放射線ビームのグループから選択されている放射線ビームについての表示を、前記移動局（ＭＳ）にサービスするための前記第１の基地局（ＢＳ１）における初期の放射線ビームとして前記選択された放射線ビームを適用するために、受信するステップ（Ｓ９−ＢＳ１）と、
−前記表示に基づいて、前記移動局（ＭＳ）にサービスするための、前記初期の放射線ビームについての無線リソースをスケジュールするステップとを含み、
　
前記表示は、前記選択された放射線ビームの識別子を含み、
　前記表示は、前記選択された放射線ビームの品質情報をさらに含む
　上記補正案は、請求項１に、請求項２の「前記表示は、前記選択された放射線ビームの識別子を含む」、及び、請求項３の「前記表示は、前記選択された放射線ビームの品質情報をさらに含む」との特徴を付加するものである。
　ここで、原査定の拒絶の理由において、請求項３に対して引用された特開２０１３−１３２０７０号公報の段落［００２２］には、ハンドオーバ元基地局が、ハンドオーバの際に、移動局が測定した移動局とハンドオーバ先無線基地局との間の無線品質情報をハンドオーバ先無線基地局に送信する技術が記載されており、特に段落［００４７］には、Ｍｅｓｕｒｅｍｅｎｔ　Ｒｅｐｏｒｔに含まれる無線品質情報そのものをＴａｒｇｅｔ　ｅＮｏｄｅＢ３に通知することが記載されているから、引用発明において、「ＤＬ　Ｂｅａｍ　ＩＤ」に加えて、選択された放射線ビームの品質情報を、隣接ＢＳが受信するようにすることは、当業者が容易に想到し得たことである。
　よって、手続補正書（方式）に記載された補正案も、引用発明及び特開２０１３−１３２０７０号公報に記載された技術に基づいて、当業者が容易に発明をすることができたものである。
　したがって、上記補正案は採用できない。
第６　むすび
　以上のとおり、本願発明は引用発明であるから、特許法第２９条第１項第３号に該当し、特許を受けることができない。また、本願発明は引用発明に基づいて当業者が容易に発明をすることができたものであるから、特許法第２９条第２項の規定により、特許を受けることができない。
　したがって、他の請求項に係る発明について検討するまでもなく、本願は拒絶されるべきものである。
　よって、結論のとおり審決する。